(57)【要約】【課題】簡易な構成でノズル面の変形を防止する。【解決手段】取付け部材４０の取付け位置の内側に溝部４８が形成する。これにより、取付け部材４０の張出し部４２が上方に変形していた場合であっても、溝部４８で張出し部４２が下方に変形し、ジェットスタック２０のノズル面が反り返ることがない。このように、変形部としての溝部４８を形成するだけなので、簡易な構成でノズル面の変形を防止できる。【選択図】図８
2008055838.tif 000002
【特許請求の範囲】
【請求項１】
液滴を吐出するヘッドユニットと、
前記ヘッドユニットへ送られる液体を濾過するフィルタユニットと、
前記フィルタユニットに設けられ、前記フィルタユニットの側壁から側方へ張り出した張出し部と、
前記張出し部の所定位置で、前記張出し部を前記ヘッドユニットに固定する固定部材と、
前記張出し部に形成され、前記所定位置よりも内側に配置され、前記張出し部を変形させる変形部と、
を備えたことを特徴とする液滴吐出ヘッド。
【請求項２】
前記変形部は、前記張出し部に形成され前記張出し部の他の部位より剛性を低下させる溝部であることを特徴とする請求項１に記載の液滴吐出ヘッド。
【請求項３】
前記変形部は、前記張出し部に形成され前記張出し部の他の部位より剛性を低下させる開口部であることを特徴とする請求項１に記載の液滴吐出ヘッド。
【発明の詳細な説明】
【技術分野】
【０００１】
本発明は、液滴を吐出する液滴吐出ヘッドに関する。
【背景技術】
【０００２】
液滴を吐出する液滴吐出ヘッドとしては、インク滴を記録媒体へ吐出して画像を記録するインクジェット記録ヘッドが知られている。インクジェット記録ヘッドとしては、特許文献１に開示されるインクジェット記録ヘッドが公知である。
【０００３】
特許文献１のインクジェット記録ヘッドは、ベース基板と、インクを吐出させるための圧力室を形成するインク吐出基板とを備えている。このベース基板及びインク吐出基板は、互いの接触面どうしが接着されて積層されている。
【０００４】
インク吐出基板の接触面の中央領域は、硬化後も弾性を有する弾性接着剤より強い接着力を有する高強度接着剤によりベース基板の接触面に接着されており、インク吐出基板の接触面の両端領域は、弾性接着剤によりベース基板の接触面に接着されている。
【０００５】
この構成によれば、高強度接着剤で必要な強度を与え、弾性接着剤でインク吐出基板やベース基板の膨張や収縮による反りを低減することができる。
【特許文献１】特開２００６−２１４３４号公報
【発明の開示】
【発明が解決しようとする課題】
【０００６】
ところで、液滴を吐出する液滴吐出ヘッドでは、簡易な構成でノズル面の反りやたわみなどの変形を防止することが望まれている。
【０００７】
本発明は、上記事実を考慮し、簡易な構成でノズル面の変形を防止できる液滴吐出ヘッドを提供することを目的とする。
【課題を解決するための手段】
【０００８】
本発明の請求項１に係る液滴吐出ヘッドは、液滴を吐出するヘッドユニットと、前記ヘッドユニットへ送られる液体を濾過するフィルタユニットと、前記フィルタユニットに設けられ、前記フィルタユニットの側壁から側方へ張り出した張出し部と、前記張出し部の所定位置で、前記張出し部を前記ヘッドユニットに固定する固定部材と、前記張出し部に形成され、前記所定位置よりも内側に配置され、前記張出し部を変形させる変形部と、を備えたことを特徴とする。
【０００９】
この構成によれば、張出し部をヘッドユニットに固定する際に、フィルタユニットとヘッドユニットとの間に、液体漏れを防止するためのＯリングなど挿入部材が挿入され、この挿入部材の反力が生じたとしても、変形部によって張出し部が変形し、ヘッドユニットのノズル面の変形（例えば、反りやたわみ）を防止する。このように、変形部を形成するだけなので、簡易な構成でノズル面の変形を防止できる。
【００１０】
本発明の請求項１に係る変形部としては、請求項２に記載のように、前記張出し部に形成され前記張出し部の他の部位より剛性を低下させる溝部とすることができる。
【００１１】
本発明の請求項１に係る変形部としては、請求項３に記載のように、前記張出し部に形成され前記張出し部の他の部位より剛性を低下させる開口部とすることができる。
【発明の効果】
【００１２】
本発明は、上記構成としたので、簡易な構成でノズル面の変形を防止できる。
【発明を実施するための最良の形態】
【００１３】
以下に、本発明の液滴吐出ヘッドに係る実施形態の一例を図面に基づき説明する。本実施形態では、液滴を吐出する液滴吐出ヘッドの一例として、インク滴を記録媒体へ吐出して画像を記録するインクジェット記録ヘッドについて説明する。
【００１４】
本実施形態に係るインクジェット記録ヘッド１０は、図１に示すように、印字ユニット１２を複数並べて繋ぎ合わせて長尺状に形成されており、画像が記録できる画像記録幅が被記録領域の幅以上とされたインクジェット記録ヘッドである。
【００１５】
印字ユニット１２は、図２に示すように、液体としてのインクに含まれる異物を除去するフィルタユニット１４と、インク滴を吐出するヘッドユニット１６とを備えて構成されている。ヘッドユニット１６は、図２及び図３に示すように、複数の流路プレート１９を積層して形成されたジェットスタック２０と、そのジェットスタック２０上に接着固定されるマニホールド１８とを備えて構成されている。
【００１６】
なお、マニホールド１８の上部には、フィルタユニット１４から供給されたインクを流入させるための流入口２１及び、ネジ孔１７が形成されている（図３参照）。また、ジェットスタック２０に下面は、インク滴を吐出するノズル３４が形成されたノズル面となっている。
【００１７】
フィルタユニット１４は、インクタンク（図示省略）に接続される流入口２２からインクを流入させ、フィルタ２４を通過させた後、マニホールド１８へインクを供給する構成となっている。なお、フィルタユニット１４には気泡排出口２３が設けられ、フィルタユニット１４内部で発生した気泡が排出されるようになっている。
【００１８】
マニホールド１８に送られたインクは、マニホールド１８で一時的に貯留された後、ジェットスタック２０へ供給されるようになっている。
【００１９】
ジェットスタック２０へ供給されたインクは、供給路２６を通じて、圧力室２８へ送られ、さらに、連通路３２を通ってノズル３４へ送られる。これにより、インクは、供給路２６、圧力室２８、連通路３２及びノズル３４に充填される。圧力室２８内に充填されたインクは、圧電素子３０が電圧を印加されて変形することにより、圧力が付与され、ノズル３４からインク滴として吐出されるように構成されている。
【００２０】
次に、フィルタユニット１４をヘッドユニット１６に取り付けるための構成について説明する。
【００２１】
フィルタユニット１４の下部には、図４に示すように、フィルタユニット１４をヘッドユニット１６に取り付けるための取付け部材４０が設けられている。取付け部材４０は、その両端部に、フィルタユニット１４の側壁から側方へ張り出す張出し部４２を備えている。
【００２２】
張出し部４２には、それぞれ、ネジ孔４４が形成されている。このネジ孔４４とマニホールド１８に形成されたネジ孔１７とに、固定部材としてのネジ４６を螺合させて、張出し部４２をヘッドユニット１６に固定することにより、フィルタユニット１４はヘッドユニット１６に取り付けられる。
【００２３】
張出し部４２は、ネジ４６が螺合するネジ孔４４が形成された所定位置で、ヘッドユニット１６に固定される構成となっており、ネジ孔４４が形成された位置が固定位置となっている。
【００２４】
この固定位置よりも内側には、図５（Ａ）及び図５（Ｂ）に示すように、取付け部材４０の下面側に、変形部としての溝部４８が形成されている。溝部４８は、断面矩形状に形成されている。この溝部４８により、溝部４８が形成されていない他の部位より、取付け部材４０（張出し部４２）の剛性が低くなる。すなわち、溝部４８は、張出し部４２の低剛性部を構成し、この部分で取付け部材４０（張出し部４２）は、他の部位よりも変形を生じやすくなっている。
【００２５】
本実施形態では、溝部４８は、フィルタユニット１４の側壁１４Ａの下方に形成されている。溝部４８が形成される位置としては、側壁１４Ａの下方の位置からネジ孔４４の間であれば良い。
【００２６】
なお、取付け部材４０の中央部には、フィルタユニット１４からインクを流入させるための流入口５２が形成されている（図５（Ｂ）参照）。
【００２７】
次に、上記の実施形態について作用を説明する。
【００２８】
本実施形態に係る溝部４８を形成しない構成であっても、図６に示すように、フィルタユニット１４をヘッドユニット１６に取り付けることが可能である。しかしながら、図７（Ａ）に示すように、取付け部材４０の張出し部４２が上方に変形していた場合、ネジ４６を締め付けると、マニホールド１８が上方に引っ張られ、その結果、ジェットスタック２０のノズル面も反り返ってしまう。
【００２９】
また、図７（Ｂ）に示すように、フィルタユニット１４とヘッドユニット１６との間に、インク漏れを防止するためのＯリング又は接着剤など挿入部材５０が挿入されると、この挿入部材５０の反力により、ジェットスタック２０のノズル面も反り返ってしまう。また、フィルタユニット１４の張出し部４２が下方に変形していたり、マニホールド１８の取り付け面が同様に変形していたりする場合も、ジェットスタック２０のノズル面に反りやたわみが発生する。
【００３０】
ジェットスタック２０のノズル面が反り返ると、ノズル孔の軸ズレによる吐出特性(例えば、着弾位置ズレ)の悪化やマニホールドと流路プレートを接着している接着剤が剥離することによるインクのリークが発生する可能性がある。
【００３１】
これに対して、本実施形態においては、取付け部材４０の張出し部４２の固定位置の内側に溝部４８が形成されている。このため、図８（Ａ）に示すように、取付け部材４０の張出し部４２が上方に変形していた場合であっても、溝部４８で張出し部４２が下方に変形し、ジェットスタック２０のノズル面が反り返ることがない。
【００３２】
また、フィルタユニット１４とヘッドユニット１６との間に、Ｏリング又は接着剤など挿入部材５０が挿入されても、図８（Ｂ）に示すように、この挿入部材の反力が作用しても、溝部４８で張出し部４２が下方に変形し、ジェットスタック２０のノズル面が反り返ることがない。
【００３３】
このため、ノズル孔の軸ズレによる吐出特性(例えば、着弾位置ズレ)の悪化や、ジェットスタック２０を構成する流路プレート１９とマニホールド１８とを接着している接着剤が剥離するおそれがなくなる。
【００３４】
このように、変形部としての溝部４８を形成するだけなので、簡易な構成でノズル面の変形を防止できる。
【００３５】
また、本実施形態の構成によれば、ネジ締結部分の肉厚を薄くすることなく、取付け部材４０の剛性を落とすことにより、ノズル面の反りを防止できる。
【００３６】
また、フィルタユニット１４及びマニホールド１８の取り付け面の精度（例えば、平面度）に関わらず、フィルタユニット１４を取り付けてもノズル面に反りやたわみが発生しない。
【００３７】
このため、フィルタユニット１４及びマニホールド１８の部品精度スペックを緩和することができ、コストダウンにつながる。
【００３８】
なお、上記実施形態では、変形部としての溝部は、断面矩形状に形成されていたが、溝部の形状としては、図９（Ｂ）に示すように、断面三角形状であってもよく、また、図９（Ｃ）に示すように、溝部の縁が断面Ｕの字形状に形成されて、溝部の底面（奥の面）に丸みを持たせた形状であっても良い。このように、溝部の形状は、溝部が形成されていない他の部位より剛性が低くなれば、溝部の形状は任意に設定される。
【００３９】
また、上記実施形態では、変形部としての溝部は、取付け部材４０の下面側に形成されていたが、図９（Ａ）に示すように、取付け部材４０の上面側に形成してもよい。
【００４０】
また、図１０に示すように、溝部は、取付け部材４０の上面側及び下面側の両方に形成してもよい。また、図１１に示すように、溝部は、取付け部材４０の側面側に形成しても良い。このように、溝部を形成する位置は、取付け部材４０の上面、下面及び側面の任意の位置に形成することができる。
【００４１】
また、図１２に示すように、変形部としては、開口部５４を形成しても良い。この開口部５４の形状は、丸型や矩形状であってもよく、開口部５４が形成されていない他の部位より剛性が低くなれば、開口部５４の形状は任意に設定される。また、開口部５４の数は、複数でもあっても同様な効果が得られる。
【００４２】
また、ヘッドユニット１６へフィルタユニット１４を取り付ける取付け方法としては、ネジ締結に限られず、溶着やスナップフィット等でもよい。
【００４３】
本発明は、本実施形態に限るものではなく、種々の変形、変更、改良が可能である。
【図面の簡単な説明】
【００４４】
【図１】図１は、本発明の実施形態に係るインクジェット記録ヘッドの構成を示す斜視図である。
【図２】図２は、本実施形態に係る印字ユニットの構成を示す断面図である。
【図３】図３は、本実施形態に係るヘッドユニットの構成を示す分解斜視図である。
【図４】図４は、本実施形態に係る印字ユニットの構成を示す斜視図である。
【図５】図５（Ａ）は、本実施形態に係る接合部材の構成を示す側面図であり、図５（Ｂ）は、本実施形態に係る接合部材の構成を示す底面図である。
【図６】図６は、本実施形態に係る溝部が形成されていない構成を示す側面図である。
【図７】図７は、本実施形態に係る溝部が形成されていない構成において、フィルタユニットをヘッドユニットに取り付けた状態を示す側面図であり、（Ａ）は、張出し部が上方に変形している場合を示し、（Ｂ）は、フィルタユニットとヘッドユニットとの間に挿入部材を挿入した状態を示す。
【図８】図８は、本実施形態に係る接合部材の構成において、フィルタユニットをヘッドユニットに取り付けた状態を示す側面図であり、（Ａ）は、張出し部が上方に変形している場合を示し、（Ｂ）は、フィルタユニットとヘッドユニットとの間に挿入部材を挿入した状態を示す。
【図９】図９は、本実施形態に係る溝部の変形例を示す図であり、（Ａ）は、溝部を接合部材の上側に形成した例を示し、（Ｂ）は、溝部の形状を三角形状にした例を示し、（Ｃ）は、溝部の縁をＵの字形状にした例を示す。
【図１０】図１０は、本実施形態に係る溝部を接合部材の上側及び下側の両方に形成した変形例を示す側面図である。
【図１１】図１１（Ａ）は、本実施形態に係る溝部を接合部材の側面に形成した変形例を示す側面図であり、図１１（Ｂ）は、本実施形態に係る溝部を接合部材の側面に形成した変形例を示す底面図である。
【図１２】図１２（Ａ）は、本実施形態に係る接合部材に開口部を形成した変形例を示す側面図であり、図１２（Ｂ）は、本実施形態に係る接合部材に開口部を形成した変形例を示す底面図である。
【符号の説明】
【００４５】
１０   インクジェット記録ヘッド（液滴吐出ヘッド）
１４   フィルタユニット
１６   ヘッドユニット
４２   張出し部
４６   ネジ（取付け部材）
４８   溝部（変形部）
５４   開口部（変形部）
【図１】
2008055838.tif 000003
【図２】
2008055838.tif 000004
【図３】
2008055838.tif 000005
【図４】
2008055838.tif 000006
【図５】
2008055838.tif 000007
【図６】
2008055838.tif 000008
【図７】
2008055838.tif 000009
【図８】
2008055838.tif 000010
【図９】
2008055838.tif 000011
【図１０】
2008055838.tif 000012
【図１１】
2008055838.tif 000013
【図１２】
2008055838.tif 000014